(57)【要約】【課題】リモートコントローラ装置で、２桁以上のチャンネル番号選局時に１ボタン押下で選局切替えを可能にする。【解決手段】数字を入力するための入力キーと、トリガ信号により数字入力信号を記憶するかどうか判別する記憶判別部と、数字入力信号を２桁以上の番号選択時の上位桁として記憶する記憶部と、数字入力信号を出力するリモコン信号出力部と、記憶判別部からの数字入力信号の判別結果が記憶するとき数字入力信号を記憶部に記憶させ、記憶判別部からの数字入力信号の判別結果が記憶しないとき記憶部に記憶されている数字と入力信号処理部から入力した数字入力信号を合わせた番号をリモコン信号出力部に出力するよう指示する制御部を備えることにより、上位桁が同一のチャンネル番号を１ボタン押下によって選択が可能となる。【選択図】図１
2008104047.tif 000002
【特許請求の範囲】
【請求項１】
数字を入力するための入力キーと、前記入力キーから入力された数字入力信号を検出し処理する入力信号処理部と、トリガ信号により前記数字入力信号を記憶するかどうか判別する記憶判別部と、前記数字入力信号を２桁以上の番号選択局時の上位桁として記憶する記憶部と、前記数字入力信号を出力するリモコン信号出力部と、前記記憶判別部からの前記数字入力信号の判別結果が記憶するとき前記数字入力信号を前記記憶部に記憶させ、前記記憶判別部からの前記数字入力信号の判別結果が記憶しないとき前記記憶部に記憶されている数字と入力信号処理部から入力した前記数字入力信号を合わせた番号を前記リモコン信号出力部に出力するよう指示する制御部を備えたことを特徴とするリモートコントローラ装置。
【請求項２】
前記トリガ信号は、前記入力キーの押下時間が所定時間以上の長押しのとき前記数字入力信号を記憶するとしたことを特徴とする請求項１に記載のリモートコントローラ装置。
【請求項３】
前記トリガ信号は、上位桁メモリボタンが押されたとき前記数字入力信号を記憶するとしたことを特徴とする請求項１に記載のリモートコントローラ装置。
【請求項４】
前記記憶部に記憶されている数値を消去するためのメモリ消去ボタンを備えたことを特徴とする請求項１乃至３記載のリモートコントローラ装置。
【請求項５】
前記記憶部に記憶している上位桁の数値を表示する表示部を備えたことを特徴とする請求項１乃至４記載のリモートコントローラ装置。
【請求項６】
前記記憶部に記憶している上位桁の数値を前記入力キーの数字ボタンの点灯色で表示することを特徴とする請求項１乃至４記載のリモートコントローラ装置。
【発明の詳細な説明】
【技術分野】
【０００１】
本発明は２桁以上のチャンネル番号の選局を行うリモートコントローラ装置（以下リモコンと略す）に関するものである。
【背景技術】
【０００２】
一般に、受信機のチャンネルをリモートコントローラ装置で選択する場合は、リモートコントローラ装置の入力キーを押して選択したり、チャンネルのＵＰ．ＤＯＷＮボタンで選択したりする。
【０００３】
また、２桁以上のチャンネル番号の場合には、入力キーの組み合わせで選ぶ、つまり“５２チャンネル”を選択する場合には、“５”を押してから“２”を押して選局する手法が一般的である。ただしこの場合であると、２桁以上のチャンネル番号選局時には、常に２回ないし３回以上ボタンを押下する必要がありユーザにとって不便であった。
【０００４】
そこで、特許文献１では、１ボタンで２桁以上のチャンネル番号を選局するために、リモートコントローラ装置にメモリ装置を設け、事前に任意のアドレスに選局したいチャンネル番号を記憶させ（例として、アドレスボタン“Ａ１”に“５２”というチャンネル番号を記憶させる）、そのアドレスを指定（例では“Ａ１”ボタンを押下）すると、選局したいチャンネル番号のリモコン信号がリモートコントローラ装置から送出される仕組みを考案している。
【０００５】
事前にメモリに任意のチャンネル番号を記憶させるという仕組みでは、同様に特許文献２があり、こちらはアドレスボタンの代わりにジャンルを指定するボタンを設け、それに対応させユーザが任意のチャンネルを記憶させ、リモコン信号を送信させるようにしている。
【特許文献１】特開昭５５−０２６７５９号公報
【特許文献２】特開平１０−１３６２７６号公報
【発明の開示】
【発明が解決しようとする課題】
【０００６】
しかしながら、前記従来の構成では、２桁以上のチャンネル番号を１ボタンで選局を行うためには、あらかじめユーザが自分で任意のチャンネルをメモリに記憶させる必要があり、どのボタン（どのメモリアドレス）にどのチャンネルを記憶させているかを認識しておく必要がる。
【０００７】
またアドレスボタンと記憶できるチャンネルが１対１の対応となっているので、記憶したいチャンネル数が増えると、アドレスボタンを増やさなくてはならない。
【０００８】
同様にジャンルボタンと入力キーの組み合わせの記憶方式も、１ボタンでの選局は行えない場合もあるし、チャンネル数が多くなると対応できない。
【０００９】
メモリに関しても覚えるチャンネル数が増えるに従い、容量が必要となるという、上記のような課題を有していた。
【００１０】
本発明は、前記従来の課題を解決するもので、２桁以上のチャンネル番号を選局するとき、事前に選択したいチャンネルを記憶させておく設定を不要とし、かつチャンネルが増えてもフレキシブルに対応でき、容量の大きいメモリを必要とせず、１ボタンの押下で２桁以上のチャンネル番号を選局切替えできるようにすることを目的とする。
【課題を解決するための手段】
【００１１】
前記従来の課題を解決するために、本発明のリモートコントローラ装置は、数字を入力するための入力キーと、入力キーから入力された数字入力信号を検出し処理する入力信号処理部と、トリガ信号により数字入力信号を記憶するかどうか判別する記憶判別部と、数字入力信号を２桁以上の番号選択時の上位桁として記憶する記憶部と、数字入力信号を出力するリモコン信号出力部と、記憶判別部からの数字入力信号の判別結果が記憶するとき数字入力信号を記憶部に記憶させ、記憶判別部からの数字入力信号の判別結果が記憶しないとき記憶部に記憶されている数字と入力信号処理部から入力した数字入力信号を合わせた番号をリモコン信号出力部に出力するよう指示する制御部を備えたことを特徴とする。
【００１２】
本構成によって、２桁以上のチャンネル番号を選局するとき、先に記憶させている上位桁数値を用いることにより、ある数値が押下された場合、その数値に上位桁を加えたリモコン信号が送信され、十桁目の上位桁が同一で一桁目だけが異なるチャンネルを１ボタンで選局切替え可能となる。
【００１３】
上記内容の具体例を記載すると、“３４ｃｈ”と次に“３８ｃｈ”を選局したい場合、まず“３”という数値を記憶判別部で記憶させて、記憶部に格納する。これにより上位桁“３”が記憶されたので、次に“４”を押すことにより、先の“３”と今回押下した“４”が組み合わされ、“３４ｃｈ”のリモコン信号を送出（“３”、“４”の順にリモコン信号送出）し、“３４ｃｈ”が選局される。次に“８”を押すと今回も先の“３”が記憶されているので、“８”を押すだけで“３８ｃｈ”が選局される。３０台チャンネル、つまり、十桁目の上位桁が同一で一桁目だけが異なるチャンネル番号が１ボタンで選局切替えできるようになる。上位桁は記憶部の消去が動作するまで記憶し続けている。
【発明の効果】
【００１４】
本発明を採用することにより、２桁以上のチャンネル番号を選局するとき、先に記憶させている上位桁数値を用いることにより、上位桁が同一のチャンネルを１ボタンで選局切替えできるようになり、ユーザの操作性の向上に寄与できる。
【００１５】
また上位桁をそれぞれ１つだけ記憶するだけなので、従来技術よりもメモリ容量を大幅削減でき、またチャンネルが増えても上位桁を覚えさせるだけなので問題なく対応することができる。
【発明を実施するための最良の形態】
【００１６】
以下本発明を実施するための最良の形態について、図面を参照しながら説明する。
【００１７】
本発明の基本の構成ブロック図を図１に示し、それらを具体的に実施の形態で説明していく。
【００１８】
図１において、本発明の受信機用リモートコントローラ装置は、入力キー１００と、入力信号処理部１０１と、記憶判別部１０２と、制御部１０３と、トリガ信号１０４と、記憶部（メモリ部）１０５と、リモコン信号出力部１０６から構成されている。
【００１９】
入力キー１００は、０〜９の数値のボタンと「−」、「※」、「Ｅｘｉｔ」などの記号ボタンで構成されている。この入力キー１００をユーザが押すことにより、リモートコントローラ装置内でキー入力信号が発生し、チャンネル番号などの選択がなされる。
【００２０】
入力信号処理部１０１は、入力キー１００で入力されたキー入力信号を処理する箇所である。例えば、“６”の数値が入力キー１００で入力されたらそれに対応する信号を制御部１０３に送信する。
【００２１】
記憶判別部１０２は、入力信号処理部１０１から入力されたキー入力信号の数値を記憶するかどうかの判別部である。外部から入力されるトリガ信号１０４（記憶するかどうかの判断に使う外部入力信号）を入力して、制御部１０３に入力信号処理部１０１からのキー入力信号の数値を記憶するかどうかの信号を送信する。
【００２２】
記憶部１０５は、制御部１０３の指示により入力信号処理部１０１からのキー入力信号の数値をチャンネル番号の上位桁の数値として、一桁ずつ記憶する。或いは、制御部１０３の指示により記憶していた上位桁の数値を消去する。
【００２３】
制御部１０３は、各種信号の処理・制御を行う箇所である。例えば、記憶判別部１０２からの信号で、入力信号処理部１０１の数値信号を記憶部１０５の記憶部に記憶するかどうかの制御を行ったり、逆に記憶部１０５の記憶している数値情報を消去したり、また記憶部１０５から数値を読み出し入力信号処理部１０１のキー入力信号の数値と組み合わせてリモコン信号出力部１０６へリモコン信号を送信したりする。
【００２４】
リモコン信号出力部１０６は制御部１０３から入力されるリモコン信号を受け、そのリモコン信号を受信機などの外部機器へ送信する。
【００２５】
（実施の形態１）
図２は、本発明の実施の形態１における構成ブロック図である。この実施の形態１においては図１の記憶判別部１０５の箇所をボタン長押し検出する押下時間検出部で実現し、トリガ信号を入力キー１００の数値ボタンの長押しとする。また、この例では３桁のチャンネル番号の入力を想定して記載する。
【００２６】
図２において、本実施の形態１の受信機用リモートコントローラ装置は、入力キー２００と、入力信号処理部２０１と、押下時間検出部２０２と、制御部２０３と、十の桁用メモリ２０４と、百の桁用メモリ２０５と、リモコン信号出力部２０６から構成されている。ここで、入力信号キー２００、入力信号検出部２０１、制御部２０３、リモコン信号出力部２０６は、それぞれ図１の入力キー１００、入力信号処理部１０１、制御部１０３、リモコン信号出力部１０６と同様のものであり、説明は省略し、図１と異なる構成について以下に説明する。
【００２７】
押下時間検出部２０２は、入力キーである入力信号キー２００のいずれかの数字ボタンが押されたとき、数字ボタンの押され始めから離されるまでの押下時間を検出し、押下時間が所定の時間以上であれば、長押しされていると判断し、所定の時間以下であれば短押しされていると判断する。判断結果は、十の桁用メモリ２０４、或いは、百の桁用メモリ２０５に記録するかどうかのトリガ信号として、制御部２０３に送出する。ここで長押しは設定によってその所定の時間を調整できるとする。例えば、３秒以上押され続けると長押しと判定するなど自由に設定する。
【００２８】
十の桁用メモリ２０４、百の桁用メモリ２０５は図１の記憶部１０５に相当する。実施の形態１ではチャンネル番号は最大３桁を想定しているので、その上位桁である十の桁と百の桁のためにメモリを用意している。このメモリにはそれぞれひとつの数値を記憶することができる。制御部２０３の指示によりそれぞれのメモリに数字を記憶する。
【００２９】
次に、本発明の実施の形態１のリモートコントローラ装置のフローチャートを図３に示す。このときの条件として、チャンネル番号は３桁対応であること、入力キー長押しが記憶判断のトリガ信号であること、記憶部クリアは３回連続長押し、或いは、別キー（例えば、Ｅｘｉｔキー）の長押しであること、初期条件は記憶部に数値は記憶していないことである。
【００３０】
本発明によるリモートコントローラ装置のフローを、図３のフローチャートを参照して説明する。まず、リモートコントローラ装置は常に電源が入っているため、状態の始点は入力待ち状態となる（ＳＴ３００）。次に何らかのキーが押された場合、まずそれが数値キーかどうかを判断する（ＳＴ３０１）。
【００３１】
ステップＳＴ３０１で数値キーでない場合、それが記憶クリアキー（例えば、Ｅｘｉｔキー）かどうかを判断し（ＳＴ３０６）、ステップＳＴ３０６で記憶クリアキーでないなら、その他の処理（そのキーに対応する処理）へ移行する（ＳＴ３１６）。また、ステップＳＴ３０６で記憶クリアキーであったならば、その押下時間が長押しかどうかを判断しする（ＳＴ３１１）。ステップＳＴ３１１で長押しだった場合、記憶部（十の桁用メモリ２０４，百の桁用メモリ２０５）に記憶している数値をクリアする（ＳＴ３１８）。逆にステップＳＴ３１１で長押しでなかった場合、今回の入力は入力ミスだったと判断し、その入力を無視し（ＳＴ３１７）、始点の入力待ち状態（ＳＴ３００）に戻る。
【００３２】
ステップＳＴ３０１で入力されたキーが数値キーだった場合、次に長押しかどうかを判断し（ＳＴ３０２）、ステップＳＴ３０１で長押しだった場合、それが一回目の長押しかどうかを判断する（ＳＴ３０７）。
【００３３】
ステップＳＴ３０７で一回目だった場合、入力信号検出部２０１から制御部２０３に来ている数値を十の桁メモリ部２０４に記憶し（ＳＴ３０８）、再度始点の入力待ち状態（ＳＴ３００）に戻る。
【００３４】
ステップＳＴ３０７において、長押しが一回目でなかった場合、それが二回目かどうか判断し（ＳＴ３１２）、ステップＳＴ３１２で長押しが二回目だった場合、まず十の桁メモリ部２０４に今まで記憶してあった数値を、百の桁メモリ部２０５に移動させ、入力信号検出部２０１から制御部２０３に入力されてきた数値を十の桁メモリ部２０４に記憶させる（ＳＴ３１３）。そして、再度始点の入力待ち状態（ＳＴ３００）に戻る。
【００３５】
ステップＳＴ３１２において、長押しが二回目でなかった場合、本実施の形態では三回目の場合、この場合は記憶部クリア動作とみなし、各位のメモリ部、つまり、十の桁用メモリ２０４、百の桁用メモリ２０５に記憶している数値を消去し（ＳＴ３１８）、再度入力待ち状態（ＳＴ３００）に戻る。
【００３６】
上記のフローが十の桁用メモリ２０４、百の桁用メモリ２０５に数値を記憶させたり、消去させたりするフローとなっている。
【００３７】
次に、ステップＳＴ３０１で押されたキーが数値キーであり、長押しでない場合、つまり、短押しの場合、まず上位桁である百の桁メモリ部２０５に数値が記憶されているかを判定する（ＳＴ３０３）、ステップＳＴ３０３で百の桁メモリ部２０５に数値が記憶されていた場合、それは即ち上位２桁分数値が記憶されているということなので、まず百の桁用メモリ２０５の数値を読み出し（ＳＴ３１４）、次にその数値をリモコン信号出力部２０６へ送る（ＳＴ３１５）。次に同様に十の桁用メモリ２０４の数値を読み出し（ＳＴ３０９）、その数値を同じくリモコン信号出力部２０６へ送る（ＳＴ３１０）。最後に今、短押しで入力された数値のリモコン信号を一の桁の数値としてリモコン信号出力部２０６へ送信する（ＳＴ３０５）。これら一連の処理が終わったら再度入力待ち状態（ＳＴ３００）へ戻る。
【００３８】
またステップＳＴ３０３で百の桁用メモリ２０５に数値が記憶されていない場合は、次の十の桁用メモリ部２０４を確認する（ＳＴ３０４）。ステップＳＴ３０４で数値が記憶されていれば、十の桁用メモリ２０４の数値を読み出し（ＳＴ３０９）、その値をリモコン信号出力部２０６へ送り（ＳＴ３１０）、最後に今、短押しで入力された数値信号を一の桁の数値としてリモコン信号出力部２０６へ送る（ＳＴ３０５）。これら一連の処理が終わったら再度入力待ち状態（ＳＴ３００）に戻る。
【００３９】
ステップＳＴ３０４で十の桁用メモリ２０４にも数値が記憶されていないときは、今の短押しの数値を一の桁の数値としてリモコン信号出力部２０６へ送り（ＳＴ３０５）、再度入力待ち状態（ＳＴ３００）に戻る。
【００４０】
ステップＳＴ３０５の処理を終了し、ステップＳＴ３００に戻った後、短押しで数字キーを入力すると、図３のＳＴ３００〜ＳＴ３０５の順にフローが進んで、チャンネルの１桁の位だけを切替えるチャンネル変更が行われることになる。
【００４１】
図２のような構成、図３のフローのアルゴリズムを有することによって、２桁や、３桁のチャンネル番号を入力するときに、上位桁が同一のチャンネルを一度のボタン操作で選択することが可能となる。
【００４２】
例として、次の順番（３ｃｈ，７ｃｈ，１４ｃｈ，１７ｃｈ，１９ｃｈ）でチャンネル番号を選局しようとしたとき、まずは通常通り“３”ボタンを押下で３ｃｈ選局が完了する。次は“７”ボタン押下で７ｃｈに切り替え選局が完了する。次は“１“ボタンを長押しして十の桁の数値“１”を十の桁用メモリ２０４に記憶させ、次に“４”ボタンを押下すると１４ｃｈの選局が完了する。そして、すでに十の桁の数値（“１”）を記憶しているので、次は“７”ボタンだけ押下で１７ｃｈが選局できる。更に、“９”ボタンの押下で１９ｃｈが選局が完了する。
【００４３】
更に、現在の１９ｃｈの後に１０５ｃｈを選局したければ“０”を長押しして、上位２桁を記憶させ（“１”と“０”のこと）、次に下一桁として“５”を選択すると１０５ｃｈの選局が完了する。
【００４４】
次に、十の桁用メモリ２０４と百の桁用メモリ２０５に記憶された数字をクリアしたければ、クリアキーを長押しするか、或いは、そのほかの数字ボタンを長押しすればよい。
【００４５】
かかる構成によれば、チャンネル長押しのトリガ信号により、十の桁用メモリ２０４と百の桁用メモリ２０５にチャンネル番号の上位桁を記憶させられるので、この記憶された数値と次の数値信号とを組み合わせ、２桁以上のチャンネル番号を選局するとき、上位桁が同一のチャンネル番号を一度のボタン操作で選局切り替えすることができる。
【００４６】
なお、現在百の桁、十の桁に何が記憶されているのかを明示するために、リモートコントローラ装置に液晶などの表示部を装備し、表示部にその数値を表示してもよい。或いは、百の桁と十の桁を示す色で数字ボタンを点灯させてもよい（例えば“２“のボタンが緑色に点灯していれば百の桁が“２”で、“３”のボタンが赤色に点灯していれば十の桁が“３”、つまり、２３ｘｃｈである）。
【００４７】
また本形態において、チャンネル番号を２桁番号までしか対応しなくて良い場合には、図２の構成はさらに簡潔になるし、図３のアルゴリズム（特にメモリクリアに関するフローで、連続長押しで次の新しい十の桁を認識すると変更する）が非常に簡潔になることは自明である。
【００４８】
さらに今回はメモリクリアに関して別キーの長押しという仕様にしたが、別途にメモリクリアキーを用意し、それの短押しでメモリがクリアできるようにしてもよい。
【００４９】
なお、本実施の形態において、チャンネルを選局するリモートコントローラ装置としたが、ＨＤ（Ｈａｒｄ  Ｄｉｓｋ）やＤＶＤ（Ｄｉｇｉｔａｌ  Ｖｅｒｓａｔｉｌｅ  Ｄｉｓｋ）やＣＤ（Ｃｏｍｐａｃｔ  Ｄｉｓｃ）などの記録メディアに記録した映像コンテンツや音声コンテンツを再生するときの記録番号を選択するリモートコントローラ装置としても良い。この場合は、リモートコントローラ装置自体の構成は同じで、記録メディアの装置側が記録番号の入力で再生を開始するようになっていれば良い。
【００５０】
（実施の形態２）
図４は、本発明の実施の形態２におけるブロック構成図である。図４において、図２と同じ構成要素については同じ符号を用い、説明を省略する。ここで本形態の例として、実施の形態１と同様に選択チャンネル番号を３桁まで考慮するとする。
【００５１】
図４において、入力信号キー４００はユーザの入力キーボタンを表し、数値ボタンの他に十の桁のメモリ用と百の桁メモリ用の記憶判別部のためのトリガ信号となるボタン“Ｍ１０”、“Ｍ１００”を有している。また、入力信号検出部４０１は様々な入力信号を検出する部位であり、数値信号やその他のボタン信号検出処理に加え、“Ｍ１０”、“Ｍ１００”信号の検出も行うことが可能である。制御部２０３、十の桁用メモリ２０４と百の桁用メモリ２０５、リモコン信号出力部２０６は図２と同様である。
【００５２】
この構成における動作を説明する。実施の形態１との差は十の桁メモリ部と百の桁メモリ部に数値を記憶させるそのやりかたであり、実施の形態２ではトリガ信号を“Ｍ１０”、“Ｍ１００”の両ボタンとする。十の桁に数値を記憶させたい場合は、まず“Ｍ１０”ボタンを押す。このとき入力信号検出部４０１で“Ｍ１０”ボタンが押下されたのを検出し、次の入力キーが入力されるのを待つ状態に入る。そこでユーザは次に十の桁に記憶させたい入力キーを押す。するとその数値を入力信号検出部４０１の検出部から制御部２０３の制御部に渡し、それを十の桁用メモリ２０４の十の桁メモリ部に格納する。同様に百の桁に数値を記憶させたい場合も“Ｍ１００”ボタンを押してから、記憶させたい数値を押す。
【００５３】
あとの動作は実施の形態１とほぼ同様であり、入力キーを押したときに、上位桁に数値が記憶されているかどうかを判断し、記憶されていればその数値と今押した入力キーを組み合わせたリモコン信号をリモコン信号出力部２０６のリモコン信号出力部から送出する。
【００５４】
かかる構成によれば、十の桁と百の桁の記憶判別用ボタン“Ｍ１０”、“Ｍ１００”のトリガ信号により、チャンネル番号の上位桁を記憶させられるので、この記憶された数値と次の数値信号とを組み合わせ、２桁以上のチャンネル番号を選局するとき、上位桁が同一のチャンネル番号を一度のボタン操作で選局切り替えすることができる。
【００５５】
なお、現在百の桁、十の桁に何が記憶されているのかを明示するために、リモートコントローラ装置に液晶などの表示部を装備し、表示部にその数値を表示してもよい。或いは、百の桁と十の桁を示す色で数字ボタンを点灯させてもよい（例えば“２“のボタンが緑色に点灯していれば百の桁が“２”で、“３”のボタンが赤色に点灯していれば十の桁が“３”、つまり、２３ｘｃｈである）。
【産業上の利用可能性】
【００５６】
本発明にかかる受信機用リモートコントローラ装置は、２桁以上のチャンネル番号を選択するときに、上位桁をあらかじめ記憶させ、それと組み合わせて番組を選択することが可能になるので、多チャンネル化が進むこれからのデジタルテレビや、ケーブルテレビ（ＳＴＢも含む）、ＩＰテレビなどの分野でチャンネル選局の新しいインターフェイスとして有用である。
【００５７】
また、記録メディアの記憶容量の増大により、記録可能なコンテンツ数も増大している。記録メディアの中の記録済みコンテンツを探す際のインターフェイスとしても有用である。
【図面の簡単な説明】
【００５８】
【図１】本発明の基本の構成ブロック図
【図２】本発明の実施の形態１における構成ブロック図
【図３】本発明の実施の形態１のリモートコントローラ装置フローチャート
【図４】本発明の実施の形態２における構成ブロック図
【符号の説明】
【００５９】
１００    入力キー
１０１    入力信号処理部
１０２    記憶判別部
１０３    制御部
１０４    トリガ信号
１０５    記憶部
１０６    リモコン信号出力部
２００    入力信号キー
２０１    入力信号検出部
２０２    押下時間検出部
２０３    制御部
２０４    十の桁用メモリ
２０５    百の桁用メモリ
２０６    リモコン信号出力部
４００    入力信号キー
４０１    入力信号検出部
【図１】
2008104047.tif 000003
【図２】
2008104047.tif 000004
【図３】
2008104047.tif 000005
【図４】
2008104047.tif 000006